(57)【要約】【課題】スピーカ部よりでる振動が筐体に伝わるのを防ぐために、弾性部材でスピーカと筐体を固定する。【解決手段】スピーカ３０を前面キャビネット４１のリブ４４で前面から支え、棚部４３とスピーカのクランク部分３３の間にできた隙間にゴム部材２０を挿入する。棚部の穴４３ｃとクランク部分の穴３４にゴム部材の凸部２１が係合し、スピーカ３０と前面キャビネット４１が固定される。【選択図】      図６
2008258753.tif 000002
【特許請求の範囲】
【請求項１】
映像を表示するディスプレイと、
音声を出力するスピーカと、
アンテナで受信されるテレビ放送信号から選択されているチャンネルのテレビ放送信号を抽出し出力するチューナと、
上記チューナが出力したテレビ放送信号に基づき、映像を上記ディスプレイに表示させ、音声を上記スピーカに出力させる映像音声処理部と、
上記ディスプレイの表示領域を露出させる開口部とスピーカ用の開口部を有する前面キャビネットと、
を備えるパネル型テレビジョンであって、
上記前面キャビネットとスピーカの間にスライド挿入されるゴム部材を備えており、
上記スピーカは、
クランク形状になった両端に穴と、
コーン板の周縁に周囲を囲むリブ部と、を有しており、
上記前面キャビネットは、
スピーカ用の開口部の縁に開口部の周囲を囲み、かつ上記スピーカのリブ部の外側にスピーカのリブ部と同じ形状で該リブ部の厚さの分外側に出たリブ部と、
上記前面キャビネットから突出し、所定の距離だけ延出した後、該前面キャビネットと略平行になるように屈曲した棚部と、を有しており、
上記棚部の屈曲した部分は上記スピーカーの穴と当接しうる位置に穴があいており、
上記スピーカのリブ部と前面キャビネットのリブ部の当接する間に挟まれた振動吸収体を備えており、
上記ゴム部材は、円形の板状部分と、板状部分の中心に、上記前面キャビネットの穴とスピーカの穴に係合可能な凸部を有していることを特徴とするパネル型テレビジョン。
【請求項２】
フランジ状の取り付け部分を有するスピーカと、
上記スピーカを収容しつつ、同スピーカを外部に露出させる開口部を有する筐体と、
を有している、スピーカ部の取付構造であって、
上記筐体の内側には、上記スピーカと当接してスピーカを前面から支持可能なリブ部と、
上記開口部の周縁であって所定の距離離れた位置から突出して、所定距離だけ延出した後、開口部側に屈曲することで、上記フランジ状の部位を外周側から囲いつつ、同フランジ状の部位を裏側から指示可能な棚部とを有しており、
上記スピーカのフランジ状の部位と上記筐体の棚部の間にスライド挿入可能であって、両者と凹凸係合可能な板体の弾性部材を備えることを特徴とするスピーカ部の取付構造。
【請求項３】
上記弾性部材は、凸部を有しており、
上記筐体の棚部及びスピーカは、上記弾性部材の凸部と係合可能な凹部を有していることを特徴とする請求項２に記載のスピーカ部の取付構造。
【請求項４】
上記スピーカは、コーン板の周縁に周囲を囲むリブ部を有しており、
上記筐体のリブ部は、開口部の縁に開口部の周囲を囲み、かつ上記スピーカのリブ部の外側にて同リブ部と同じ形状で該リブ部の厚さの分だけ外側に出ていることを特徴とする請求項２または請求項３に記載のスピーカ部の取付構造。
【請求項５】
上記弾性部材は、ゴムでできていることを特徴とする請求項２〜請求項４のいずれかに記載のスピーカ部の取付構造。
【発明の詳細な説明】
【技術分野】
【０００１】
この発明は、パネル型テレビジョン及びスピーカ部の取付構造に関する。
【背景技術】
【０００２】
従来、スピーカを筐体に取り付けるにあたり、スピーカの振動によるびびりを防ぐ技術として次のようなものが知られている。
例えば、特許文献１では、車載用スピーカ装置において、スピーカユニットのフレームとドアインナーパネルの間を弾性部材とネジからなるインシュレータとで止める構造が開示されている。
また、特許文献２では、スペ−サーでスピーカユニットを固定しつつ、スペ−サを利用することで、通気路を作り、それにより共振をコントロールする構成が開示されている。
また、特許文献３では、スペ−サーでスピーカユニットを固定しつつ、キャビネット等を一体構成することでエア漏れやびびりを防ぐ構成が開示されている。
【特許文献１】特開２００５−２０２９２号公報
【特許文献２】特開２００３−１５８７８６号公報
【特許文献３】特開２００２−１０２０８５号公報
【発明の開示】
【発明が解決しようとする課題】
【０００３】
しかしながら、上述した特許文献１に記載の技術は、インシュレータにネジが含まれており、ネジ止めで固定をすると、ネジが筐体等とふれる際にびびり等が発生する可能性があるため、問題がある。
また、特許文献２〜３に記載の技術は、共振の発生自体をコントロールしようとするもので、スピーカで発生した振動を吸収するものではない。そのため、発生してしまった振動を吸収することはできない。
【０００４】
本発明は、上記課題に鑑みてなされたもので、ネジを使わず、振動を吸収する弾性部材によるスピーカの取付構造を用いたパネル型テレビジョン及びスピーカ部の取付構造の提供を目的とする。
【課題を解決するための手段】
【０００５】
上記目的を達成するために、主たる発明のスピーカ部取付構造では、フランジ状の取り付け部分を有するスピーカと上記スピーカを収容しつつ、同スピーカを外部に露出させる開口部を有する筐体とを有している、スピーカ部の取付構造であって、上記筐体の内側には、上記スピーカと当接してスピーカを前面から支持可能なリブ部と、上記開口部の周縁であって所定の距離離れた位置から突出して、所定距離だけ延出した後、開口部側に屈曲することで、上記フランジ状の部位を外周側から囲いつつ、同フランジ状の部位を裏側から指示可能な棚部とを有しており、上記スピーカのフランジ状の部位と上記筐体の棚部の間にスライド挿入可能であって、両者と凹凸係合可能な板体の弾性部材を備える構成としてある。
本発明の他の特徴については、本明細書及び添付図面の記載により明らかにする。
【発明を実施するための最良の形態】
【０００６】
本明細書及び添付図面の記載により、少なくとも、以下の事項が明らかとなる。
上記主たる発明の構成によれば、上記筐体のリブ部によって、スピーカに筐体からスピーカへ向かう方向に力がかかり、また上記筐体の棚部とスピーカの間に凹凸係合された上記弾性部材によって、スピーカに棚部から筐体へ向かう方向に力がかかる。そのため、両方の力によってスピーカが支持、固定される。そのため、ネジなどで固定する必要がなく、弾性部材とリブのみで固定される。ネジがスピーカに触れていると、筐体への振動を伝え易いが、振動を吸収する弾性部材を用いて固定しているため、スピーカの振動が筐体に伝わり難くなる。
ここでリブ部とは、筐体等の平面から直角に取り付ける補強材のことをいう。本発明においては、支持部材として用いられている。
【０００７】
そして、上記スピーカ取付構造の一例として、上記弾性部材は、凸部を有しており、上記筐体の棚部及びスピーカは、上記弾性部材の凸部と係合可能な凹部を有している構成としてある。
上記のように構成すると、主たる発明と同様の効果を得ることができる。なお、上記弾性部材が凹部を有し、上記筐体の棚部及びスピーカが、上記弾性部材の凹部と係合可能な凸部を有する構成としてもよい。
【０００８】
さらに、上記筐体のリブ部の一例として、上記スピーカに、コーン板の周縁に周囲を囲むリブ部を設け、上記筐体のリブ部は、開口部の縁に開口部の周囲を囲み、かつ上記スピーカのリブ部の外側にスピーカのリブ部と同じ形状で該リブ部の厚さの分外側に出ている構成としてある。
上記のように構成すると、スピーカのリブ部と同じ形状で、スピーカのリブ部の厚さ分だけ開口部の外側にでている上記筐体のリブ部に、スピーカのリブ部が入る。そのため、上記弾性部材を挿入して固定する前に、スピーカはスピーカのリブ部が周囲を囲まれるので、位置合わせをすることができる。
【０００９】
また、上記弾性部材の一例としては、ゴムでできている構成としてある。
このような構成によれば、ゴムという一般的な素材を使用することで、特殊な材料を使わないため、安価にすることができる。
【００１０】
以上の構成を踏まえた上で、更に具体的な構成としてのパネル型テレビジョンは、映像を表示するディスプレイと、音声を出力するスピーカと、アンテナで受信されるテレビ放送信号から選択されているチャンネルのテレビ放送信号を抽出し出力するチューナと、上記チューナが出力したテレビ放送信号に基づき、映像を上記ディスプレイに表示させ、音声を上記スピーカに出力させる映像音声処理部と、上記ディスプレイの表示領域を露出させる開口部とスピーカ用の開口部を有する前面キャビネットと、を備えるパネル型テレビジョンであって、上記スピーカは、クランク形状になった両端に穴と、コーン板の周縁に周囲を囲むリブ部と、を有しており、上記前面キャビネットは、スピーカ用の開口部の縁に開口部の周囲を囲み、かつ上記スピーカのリブ部の外側にスピーカのリブ部と同じ形状で該リブ部の厚さの分外側に出たリブ部と、上記前面キャビネットから突出し、所定の距離だけ延出した後、該前面キャビネットと略平行になるように屈曲した棚部と、を有しており、上記棚部の屈曲した部分は上記スピーカーの穴と当接しうる位置に穴があいており、上記スピーカのリブ部と前面キャビネットのリブ部の当接する間に挟まれた振動吸収体を備えており、上記前面キャビネットの穴とスピーカの穴の間にスライド挿入されるゴム部材を備えており、上記ゴム部材は円形の板状部分と、板状部分の中心に、上記前面キャビネットの穴とスピーカの穴に係合可能な凸部を有している構成としてある。
上記のようにさらに具体的に構成した請求項１にかかる発明では、上述した各発明と同様の効果を奏することは言うまでもない。
【００１１】
以下、添付図面を用いて、本発明をテレビジョンにおいて具現化した実施例について説明する。
まず、本発明のパネル型テレビジョン装置の概略構成について説明する。
図１は、テレビジョン１００を斜め前方より見た斜視図である。同図において、テレビジョン１００は、キャビネット４０とディスプレイ１４とスピーカ３０と脚部５０とから構成されている。キャビネット４０は、ディスプレイ１４をその映像を表示する表示領域が前面側に露出されるように保持しつつ、同キャビネット内部に音声を出力するスピーカ３０が設置され、スピーカ用の開口部４５が設けられている。脚部５０は、ディスプレイ１４の表示面が略鉛直に配向するようにキャビネット４０を支持する。
【００１２】
図２は、本実施例におけるテレビジョン１００の概略構成を説明するブロック図である。なお、当該テレビジョン１００について、本願発明と直接関連しない構造については、詳細な説明、及び図示を省略する。
【００１３】
同図において、テレビジョン１００は、アンテナ１１aで受信されるテレビ放送信号から選択されているチャンネルのテレビ放送信号を抽出し出力するチューナ１１と、当該テレビ放送信号に基づき映像と音声を出力させる映像音声処理部１２と、音声を出力するスピーカ３０と、映像を表示するディスプレイ１４と、マイコン１５と、各部に電源を供給する電源回路１６とを備えている。
【００１４】
上記構成において、マイコン１５は、テレビジョン１００を構成する各部と電気的に接続しており、マイコン１５の内部構成部品としてのＣＰＵが、同じくマイコンの構成部品であるＲＯＭやＲＡＭなどに書き込まれた各プログラムに従って、テレビジョン１００を制御する。
【００１５】
次に、スピーカ部の取付構造について説明する。
図３は、スピーカ３０と前面キャビネット４１を固定するゴム部材２０の斜視図である。なお、ここでは、弾性部材の例として、ゴムを挙げるが、振動を抑える効果のある物質で、自立、固定ができる程度の硬度がある物質であれば、他のものでもよい。ゴムであっても、自立、固定ができない硬度のものは、この発明では利用しない。
【００１６】
ゴム部材２０は、円形の板状部分２２に凸部２１が両側についている形状となっている。凸部２１は後述するスピーカ穴４３ｃと略同径である。板状部分２２の厚さは、後述するスピーカ３０のクランク部分３３と前面キャビネット４１の棚部の間の隙間よりやや厚く、隙間に圧縮可能な厚さである。
【００１７】
なお、ゴム部材２０は、図中では円形となっているが、四角形などの形状でもよい。また、厚さはスピーカ３０のクランク部分３３と前面キャビネット４１の棚部の間の高さより少しだけ厚くても良い。
【００１８】
図４は、スピーカの開口部に接する側（前面）から見た斜視図である。
同図においてスピーカ３０は、スピーカの本体部分３１に、フランジ状の取り付け部分３２を有している。クランク状になったクランク部分３３に穴３４が左右の端それぞれ２箇所ずつ設けられている。なお、穴３４は、貫通孔でも良いが、ゴム部材２０に接する側にゴム部材２０の凸部２１に係合可能な凹部だけでも良い。
なお、図４では、取り付け部分３２の両端がクランク部分３３を有しているが、両端は必ずしもクランク状でなくてもよく、そのまま平面であってもよい。
【００１９】
スピーカ３０には、コーン板３６の周縁にコーン板３６を囲うようにコーン板３６の形状に合わせた楕円形のリブ部３５が設けられている。リブ部３５は、後述する前面キャビネット４１のリブ部４４に入り、スピーカ３０の位置合わせに用いられる。
【００２０】
図５は、前面キャビネットのスピーカ取り付け位置の斜視図である。
【００２１】
キャビネット４０は、前面キャビネット４１と後面キャビネット４２によって、構成されており、その内部にディスプレイ１４やスピーカ３０、基板（不図示）等が収容されている。
前面キャビネット４１はディスプレイ１４用の開口部の下であって、ディスプレイの左右の端部に近い位置にスピーカ用の開口部４５を設けている。スピーカ用の開口部４５は、孔があいている等、音声が外部に出力されるようになっていればよく、ディスプレイ用の開口部のように、完全に開口している必要はない。
【００２２】
前面キャビネット４１の内側には、開口部４５の左右の両側には、スピーカ３０の端部を支持するための棚部４３が設けられている。棚部４３は、スピーカ３０の端部を外側から囲い込める位置から前面キャビネットの内側に向けて所定の距離だけ延出された延出部４３ａと、延出部４３ａの端から開口部側に屈曲することで、前面キャビネット４１の内壁面と略平行となるように形成された屈曲部４３ｂとからできている。屈曲部４３ｂには、スピーカ３０に形成された穴３４の位置に合わせて穴４３ｃが設けられている。なお、穴４３ｃは、貫通孔でも良いが、ゴム部材２０に接する側にゴム部材２０の凸部２１に係合可能な凹部だけでも良い。
【００２３】
前面キャビネット４１の開口部４５の縁に開口部４５の周囲を囲み、かつ上記スピーカ３０のリブ部３５と同じ形状でリブ部４５の厚さの分外側に出ているリブ部４４が設けられている。リブ部４５の内側に、スピーカ３０のリブ部３５が入り、リブ部３５は周囲を囲まれるので、ほとんど動かなくなる。
なお、本実施例では、リブ部４４は前面キャビネット４１の内壁面から垂直に所定距離だけ突出するように形成された所定幅の板厚からなる壁状に形成され、樹脂製の前面キャビネット４１と一体成形にて形成されている。本実施例では、連続する円環状に形成されているが、とぎれとぎれの環状としたり、環状とすることなく数カ所にて突出する凸部形状とするものであっても良い。 
【００２４】
リブ部３５の前面キャビネット４１からキャビネットの内側に突出するリブ部４５の高さは、スピーカ３０のリブ部の高さよりも高い方が好ましい。スピーカ３０の振動で、スピーカが、前面キャビネット４１のリブ部の周縁の内壁に触れるのを避けるためである。
また、本実施例では、リブ部３５とリブ部４４はともに楕円形を描いているが、２つのリブ部が、楕円形の円周上に交互に設けられることで、一つの楕円形を描いても良い。
【００２５】
次に、ゴム部材２０による前面キャビネット４１とスピーカ３０の固定方法について説明する。図６は、ゴム部材２０で、スピーカ３０を固定した際の断面図である。このような状態にするために、以下の作業を行う。
まず、スピーカ３０を前面キャビネット４１の上に置く。この際、スピーカ３０のクランク部分３３が前面キャビネットの屈曲部４３ｂの下になるようにする。前面キャビネットのリブ部４４の内側に、スピーカのリブ部３５が入り、リブ部３５が周囲を囲まれることで、スピーカ３０は位置合わせされる。また、前面キャビネットのリブ部４４は、スピーカ３０が前面キャビネット４１の方向へ力がかかっても、それを支持する。
【００２６】
この際、この部分で共振するのを防ぐために、どちらかのリブに振動吸収体をあらかじめ貼っておいても良いし、リブの間に薄い振動吸収体を挟んでも良い。このようにすると、リブ同士が触れ合って、振動が伝わることを防ぐことができる。
【００２７】
スピーカ３０を前面キャビネット４１に設置すると、屈曲部４３ｂとクランク部分３３の間に隙間ができる。この隙間に、ゴム部材２０をスライド挿入する。ゴム部材２０の両側にある凸部２１が、それぞれスピーカの穴３４と棚部の穴４３ｃに係合し、固定される。
【００２８】
ゴム部材２０は、隙間よりもやや厚いため、厚み方向に圧縮されるようにして所定位置に挿入されると、棚部の屈曲部４３ｂとスピーカ３０の間で、その厚さを復元しようとするため、屈曲部４３ｂとスピーカ３０を前面キャビネット４１に向けて押し付ける。しかし、スピーカ３０が受けた力は前方側のリブ部４４によって支持されるため、スピーカ３０は両側から受ける力によって固定される。また摩擦力もスピーカ３０を固定するために働く。
【００２９】
また、凹凸があるため、ゴム部材２０の凸部２１、２１が凹部３４及び凹部４３ｃに入り込んで係合しているため、テレビジョン１００を設置した際の上下左右方向への力が働いても、凸部２１、２１がそれぞれの凹部３４、４３ｃから外れることはない。
【００３０】
つまり、スピーカ３０はリブ部４４とリブ部３５で前面キャビネット４１に位置決めされる。位置が決まると、屈曲部４３ｂとクランク部分３３の間にできた隙間に、ゴム部材２０がスライド挿入され、ゴム部材２０の凸部２１が、スピーカの穴３４と棚部の穴４３ｃに係合して、固定される。
【００３１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３２】
【図１】本発明の実施形態にかかるパネル型テレビジョン装置の外観図である。
【図２】本発明の実施形態にかかるパネル型テレビジョン装置の概略構成ブロック図である。
【図３】本発明の実施形態にかかるゴム部材の斜視図である。
【図４】本発明の実施形態にかかるスピーカ部の斜視図である。
【図５】本発明の実施形態にかかるスピーカの取り付け位置の斜視図である。
【図６】本発明の実施形態にかかるゴム部材を挿入後の断面図である。
【符号の説明】
【００３３】
１１ａ…アンテナ、１１…チューナ、１２…映像音声処理部、１４…ディスプレイ、１５…マイコン、１６…電源回路、２０…ゴム部材、２１…凸部、２２…板状部分、３０…スピーカ、３１…スピーカ本体部分、３２…スピーカ取り付け部分、３３…クランク部分、３４…穴（凹部）、３５…リブ部、３６…コーン板、４０…キャビネット、４１…前面キャビネット、４２…後面キャビネット、４３…棚部、４３ａ…延出部、４３ｂ…屈曲部、４３ｃ…穴（凹部）４４…リブ部、４５…スピーカ用の開口部、５０…脚部、１００…テレビジョン。
【図１】
2008258753.tif 000003
【図２】
2008258753.tif 000004
【図３】
2008258753.tif 000005
【図４】
2008258753.tif 000006
【図５】
2008258753.tif 000007
【図６】
2008258753.tif 000008